(57)【要約】      （修正有）【課題】陶器製の便器本体の寸法のばらつきがあってもカバーと便器本体との間に生じる隙間を目立ちにくくするとともに、カバーの破損の発生を抑制することが可能な大便器を提供する。【解決手段】陶器製の便器本体２０と、便器本体２０の後部側面を覆うカバー４０と、を備えた大便器１０において、スカート部２６の後部には、第一面と、第一面の後端から後側且つ内側に向けて延びる傾斜面である第二面と、第二面の後端から後側に向けて延びる第三面と、が形成され、カバー４０は、カバー４０の内側の表面とカバー４０の外側の表面との間をつなぐカバー先端面を有し、カバー先端面は、第二面と同じ方向に傾斜する傾斜面である大便器。【選択図】図２
2017057611.tif 000002
【特許請求の範囲】
【請求項１】
ボウル形状の汚物受け面と、この汚物受け面の上縁部に形成されたリム部と、このリム部から下方に延び前記汚物受け面の周囲に形成されたスカート部と、を有する陶器製の便器本体と、
前記スカート部の後方である前記便器本体の後部側面を覆うカバーと、
を備えた大便器において、
前記スカート部の後部には、第一面と、この第一面の後端から後側且つ内側に向けて延びる傾斜面である第二面と、この第二面の後端から後側に向けて延びる第三面と、が形成され、
前記カバーは、前記カバーの内側の表面と前記カバーの外側の表面との間をつなぐカバー先端面を有し、このカバー先端面は、前記第二面と同じ方向に傾斜する傾斜面である大便器。
【請求項２】
前記カバーは、前記第一面を後側に向けて延ばした仮想面と、前記カバーの外側の表面と、が連続するように形成された請求項１に記載の大便器。
【請求項３】
前記カバー先端面は、前記第二面と平行となる傾斜面である請求項１又は２に記載の大便器。
【発明の詳細な説明】
【技術分野】
【０００１】
本発明は、陶器製の便器本体を備えた大便器に関する。
【背景技術】
【０００２】
従来、陶器製の便器本体を備えた大便器として、便器本体の後部を隠蔽するカバーを有するものが知られている。
通常、陶器製の便器本体においては、製造誤差により寸法にばらつきが生じるため、カバーの前端と便器本体との間に隙間を設ける必要があるが、寸法のばらつきによってはカバーの前端と便器本体との間の隙間が大きくなり、掃除に手間がかかるとともに、見栄えが悪くなるという懸念がある。この問題を解決するために、便器本体の後方外側を向く傾斜面にカバーの前端部を当接させるように付勢し、便器本体の寸法のばらつきに応じて傾斜面に当接するカバーの前端部の位置を変化して取り付けるものが知られている(例えば、特許文献１参照)。
【先行技術文献】
【特許文献】
【０００３】
【特許文献１】特開２０１０−１８０６７３号公報
【発明の概要】
【発明が解決しようとする課題】
【０００４】
上述した大便器においては、寸法のばらつきによっては便器本体の傾斜面に当接させるためにカバーの前端部を大きく変形させる必要があり、カバーの前端部に大きな負荷が生じる可能性がある。そのため、使用時や施工時において、カバーの前端部にて破損が生じてしまう懸念がある。
【０００５】
本発明は、上述した問題を解決するためになされたものであり、陶器製の便器本体にて寸法のばらつきがあっても、カバーと便器本体との間に生じる隙間を目立ちにくくするとともに、カバーの破損の発生を抑制することが可能な大便器を提供することを目的とする。
【課題を解決するための手段】
【０００６】
本発明は、ボウル形状の汚物受け面と、この汚物受け面の上縁部に形成されたリム部と、このリム部から下方に延び前記汚物受け面の周囲に形成されたスカート部と、を有する陶器製の便器本体と、前記スカート部の後方である前記便器本体の後部側面を覆うカバーと、を備えた大便器において、前記スカート部の後部には、第一面と、この第一面の後端から後側且つ内側に向けて延びる傾斜面である第二面と、この第二面の後端から後側に向けて延びる第三面と、が形成され、前記カバーは、前記カバーの内側の表面と前記カバーの外側の表面との間をつなぐカバー先端面を有し、このカバー先端面は、前記第二面と同じ方向に傾斜する傾斜面である大便器である。
【０００７】
このように構成された本発明においては、カバーは、カバーの内側の表面とカバーの外側の表面との間をつなぐカバー先端面を有し、カバー先端面は、第二面と同じ方向に傾斜する傾斜面であるため、便器本体にて寸法のばらつきがあっても、カバーと便器本体との間に生じる隙間を目立ちにくくすることができる。また、カバーを大きく変形させる必要がなく、カバーの破損の発生を抑制することができる。
【０００８】
本発明は、さらに、前記カバーは、前記第一面を後側に向けて延ばした仮想面と、前記カバーの外側の表面と、が連続するように形成されてもよい。
【０００９】
このように構成された本発明においては、第一面を後側に向けて延ばした仮想面と、カバーの外側の表面と、が連続するように形成されるため、カバーと便器本体との間に生じる隙間をより目立ちにくくすることができる。
【００１０】
本発明は、さらに、前記カバー先端面は、前記第二面と平行となる傾斜面であってもよい。
【００１１】
このように構成された本発明においては、カバー先端面は、第二面と平行となる傾斜面であるため、より確実に、カバーと便器本体との間に生じる隙間を目立ちにくくすることができる。
【発明の効果】
【００１２】
本発明の大便器によれば、陶器製の便器本体にて寸法のばらつきがあっても、カバーと便器本体との間に生じる隙間を目立ちにくくするとともに、カバーの破損の発生を抑制することが可能となる。
【図面の簡単な説明】
【００１３】
【図１】本発明の一実施形態に係る大便器を示す側面図。
【図２】本発明の一実施形態に係る大便器のカバーを外した状態示す機能部カバーを除いた斜視図。
【図３】本発明の一実施形態に係る大便器の便器本体後部及びカバーを示す図１の領域IIIにおける拡大部分横断面図。
【発明を実施するための形態】
【００１４】
以下、図面を参照して本発明の一実施形態による大便器について説明する。
まず、図１及び図２により本発明の一実施形態に係る大便器の構成について説明する。図１は本発明の一実施形態に係る大便器を示す側面図であり、図２は本発明の一実施形態に係る大便器のカバー及び機能部カバーを外した状態示す斜視図である。
図１及び図２に示すように、本発明の一実施形態に係る大便器１０は、床面Ｆに載置される陶器製の便器本体２０と、この便器本体２０の後部側面を覆う樹脂製のカバー４０とを備えている。
【００１５】
便器本体２０は、ボウル形状の汚物受け面２２と、この汚物受け面２２の全周の上方外側に形成されたリム部２４と、このリム部２４から下方へと床面Ｆまで延びて汚物受け面２２の周囲に形成されたスカート部２６とを有している。また、便器本体２０の後側上部には、機能部６０が設けられている。
【００１６】
機能部６０は、汚物受け面２２を洗浄するために洗浄水を供給する洗浄装置や、使用者の局部を洗浄する局部洗浄装置等を含む。また、機能部６０は、機能部カバー６２により覆われるとともに、その上部には便座（図示せず）及び便蓋６４が回動可能に軸支されている。さらに、機能部６０は下方に向けて突出するフック状の係止部（図示せず）が設けられている。
【００１７】
次に、図３により本発明の一実施形態に係る大便器の便器本体の後部及びカバーの構成について説明する。図３は本発明の一実施形態に係る大便器の便器本体後部及びカバーを示す図１の領域IIIにおける拡大部分横断面図である。
図３に示すように、便器本体２０のスカート部２６の左右両側面の後部には、リム部２４から床面Ｆまで延びる第一面２６ａが形成されている。
【００１８】
また、便器本体２０の左右両側面には、第一面２６ａの後端から後側（機能部６０側）且つ内側（汚物受け面２２側）に向けて延びる傾斜面である第二面２６ｂと、この第二面２６ｂの後端から後側に向けて延びる第三面２６ｃと、この第三面２６ｃの後端から内側に向けて延びる第四面２６ｄとが形成されている。従って、スカート部２６の後部は全体として、第一面２６ａ及び第二面２６ｂからなる段部と、第三面２６ｃ及び第四面２６ｄからなる段部との２つの段部を備えている。
【００１９】
図３に示すように、カバー４０は、カバー４０の内側表面４１とカバーの外側表面４８との間をつなぐカバー先端面４９を有する。なお、カバー４０の内側表面４８には、上方に向けて突出すフック状の係止受部（図示せず）が設けられている。この係止受部（図示せず）が、機能部６０の係止部（図示せず）と係合することで、カバー４０は便器本体２０に対して着脱可能に固定される。なお、本発明においては、カバー４０便器本体２０に対して固定する方法は機能部６０に設けた係止部（図示せず）に限られるものではなく、例えば、接着テープをカバー内側表面及び便器本体の第三面に設けることで互いを係止する構成としてもよい。
【００２０】
カバー４０の内側表面４１に対して、その外側である、カバー４０の外側表面４８は前後方向にほぼ真っ直ぐに延びる連続した平滑面である。また、カバー４０の外側表面４８は、スカート部２６の後部の第一面２６ａを後方へ仮想的に延ばした仮想面と連続するように形成されている。
【００２１】
カバー先端面４９は、カバー４０が便器本体２０に固定された状態にて、便器本体２０の第二面２６ｂと平行となるように傾斜する傾斜面である。
なお、本発明は、カバー先端面と便器本体の第二面とが平行である形態に限られるものではなく、同じ方向、即ち本実施形態でいうと第一面２６ａに対して後側且つ内側に向けて延びていればよい。
【００２２】
上述した本発明の一実施形態による大便器１０によれば、カバー４０は、カバー４０の内側表面４３とカバー４０の外側表面４８との間をつなぐカバー先端面４９を有し、カバー先端面４９は、便器本体２０の第二面２６ｂと同じ方向に傾斜する傾斜面であるため、便器本体２０にて寸法のばらつきがあっても、カバー４０と便器本体２０との間に生じる隙間を目立ちにくくすることができる。また、カバー４０を大きく変形させる必要がなく、カバー４０の破損の発生を抑制することができる。
【００２３】
さらに、上述した本発明の一実施形態による大便器１０によれば、便器本体２０の第一面２６ａを後側に向けて延ばした仮想面と、カバー４０の外側表面４８とが連続するように形成される。そのため、カバー４０と便器本体２０との間に生じる隙間をより目立ちにくくすることができる。
【００２４】
また、上述した本発明の一実施形態による大便器１０によれば、カバー先端面４９は、便器本体２０の第二面２６ｂと平行な傾斜面であるため、より確実に、カバー４０と便器本体２０との間に生じる隙間を目立ちにくくすることができる。
【００２５】
なお、本発明において、便器本体２０における、第一面２６ａと第二面２６ｂ、第二面２６ｂと第三面２６ｃと、第三面２６ｃと第四面２６ｄのそれぞれの接続部（境界部）の形状は限定されるものではない。例えば、一面２６ａと第二面２６ｂ、第二面２６ｂと第三面２６ｃの接続部を、それぞれ丸みを帯びた形状とすることで、カバー４０と便器本体２０との間に生じる隙間をさらに目立ちにくくすることができる。また、カバー４０における、カバー先端面４９とカバー薄肉内面４２、カバー薄肉内面４２とカバー傾斜面４４、カバー傾斜面４４とカバー厚肉内面４６、カバー先端面４９とカバーの外側表面４８のそれぞれの接続部（境界部）についても同様で、形状は限定されるものではない。
【符号の説明】
【００２６】
１０      大便器
２０      便器本体
２２      汚物受け面
２４      リム部
２６      スカート部
２６ａ    第一面
２６ｂ    第二面
２６ｃ    第三面
２６ｄ    第四面
４０      カバー
４１      内側表面
４８      外側表面
４９      カバー先端面
６０      機能部
６２      機能部カバー
６４      便蓋
【図１】
2017057611.tif 000003
【図２】
2017057611.tif 000004
【図３】
2017057611.tif 000005